(57)【特許請求の範囲】
【請求項１】
裏蓋（２）及び中間部分（４）を有するケース（１）によって境界の一部が定まる腕時計であって、
前記ケース（１）の内部に収容されるケーシングリング（８）の内側に計時器用ムーブメント（６）が配置され、
前記ケーシングリング（８）の上に配置され、かつ、固定リング（１６）によって保持される表盤（１４）を有し、
この固定リング（１６）は、Ｓ字状の断面を有し、前記固定リング（１６）の上側枝部（１６ａ）は、前記表盤（１４）上で支持され、前記固定リング（１６）の下側枝部（１６ｃ）は、前記ケーシングリング（８）上で支持され、
前記固定リング（１６）の前記下側枝部（１６ｃ）は、前記中間部分（４）と前記ケーシングリング（８）の間で、前記固定リング（１６）の前記上側枝部（１６ａ）と前記ケーシングリング（８）との間で前記表盤（１４）がつかまれるように、クランプされており、
前記ケーシングリング（８）は、環状リム（２８）を有し、この環状リム（２８）上で前記表盤（１４）が支持されている
ことを特徴にする腕時計。
【請求項２】
前記固定リング（１６）の前記上側枝部（１６ａ）と前記下側枝部（１６ｃ）は、前記表盤（１４）の厚みと前記ケーシングリング（８）の前記環状リム（２８）の厚みの合計よりも低い高さを有する中間枝部（１６ｂ）によって、互いに接続されている
ことを特徴とする請求項１に記載の腕時計。
【請求項３】
前記ケーシングリング（８）は、外周側肩部（３０）を有し、この外周側肩部（３０）上で前記固定リング（１６）の前記下側枝部（１６ｃ）が支持されている
ことを特徴とする請求項１または２のいずれかに記載の腕時計。
【請求項４】
前記中間部分（４）は、前記ケーシングリング（８）の前記外周側肩部（３０）に相補的な表面（３２）を内側に有し、
前記固定リング（１６）の前記下側枝部（１６ｃ）は、前記ケーシングリング（８）の前記外周側肩部（３０）と前記中間部分（４）の前記相補的な表面（３２）との間でクランプされている
ことを特徴とする請求項３に記載の腕時計。
【請求項５】
前記中間部分（４）は、いくらかの遊びを有するように前記固定リング（１６）の前記上側枝部（１６ａ）を収容し、前記表盤（１４）上で支持される前記外側端縁（３６）によって境界の一部が定まる環状溝（３４）を内側に有する
ことを特徴とする請求項１〜４のいずれか一項に記載の腕時計。
【請求項６】
前記中間部分（４）のベース部分及び前記ケーシングリング（８）のベース部分に１つずつ相補的な２つの環状の溝（３８ａ、３８ｂ）が設けられ、これによって、
前記計時器用ムーブメント（６）を収容する前記ケーシングリング（８）が、前記腕時計用ケース（１）に挿入された時に、前記２つの環状の溝（３８ａ、３８ｂ）どうしの接合部分が１つの溝を形成し、この溝の内部にシーリングガスケット（３８）が配置されている
ことを特徴とする請求項１〜５のいずれか一項に記載の腕時計。
【請求項７】
前記表盤（１４）を前記ケーシングリング（８）上で位置合わせする手段が設けられている
ことを特徴とする請求項１〜６のいずれか一項に記載の腕時計。
【請求項８】
前記位置合わせ手段は、前記ケーシングリング（８）上に位置するガイド用突起（４２）と前記表盤（１４）に設けられた切り込み（４４）を有し、
前記ガイド用突起（４２）は、前記表盤（１４）の角度的位置合わせを確実にするように、前記切り込み（４４）に係入されている
ことを特徴とする請求項７に記載の腕時計。
【請求項９】
前記固定リング（１６）は、金属性材料で一体的部品として作られている
ことを特徴にする請求項１〜８のいずれかに記載の腕時計。
【請求項１０】
前記表盤（１４）は、光透過性ないし準光透過性である
ことを特徴にする請求項１〜９のいずれかに記載の腕時計。
【発明の詳細な説明】
【技術分野】
【０００１】
本発明は、計時器の分野に関し、より詳細には、計時器用表盤を固定するデバイスに関する。
【背景技術】
【０００２】
腕時計の分野において、腕時計の下側表面において表盤を使用することが知られている。すなわち、ムーブメント側で穴が開けられて、この穴の中に金属製の足が挿入される。このような金属製の足は、特に、腕時計のアセンブリ時に、腕時計用ムーブメントに対して表盤を適確な位置に保持することに貢献する。この最先端技術は、例えば、欧州特許ＥＰ０４６５９８８に開示されている。
【０００３】
このような表盤を作るためには比較的複雑な機械加工工程を伴うことになる。なぜなら、金属製の足を取り付ける前に表盤に数回正確に穴を開けなければならないからである。また、光透過性の腕時計でこのような表盤を使用することは魅力的ではない。
【０００４】
腕時計用表盤を保持する他のデバイスも存在し、上記の課題を少なくとも部分的に克服することができる。
【０００５】
例えば、米国特許ＵＳ８５７５１６は、特定の実施形態において、多角形のマウントを開示しており、その中に表盤を力で挿入し、その影響の下でマウントを変形させて、マウントの端縁が表盤を適切な位置に保持するものである。このような表盤及びマウントによって形成されるアセンブリは、この表盤／マウントアセンブリをスナップ嵌めによって組み立てるための環状の突起壁を有するムーブメントの上に配置される。
【０００６】
しかし、腕時計用ムーブメント上で表盤を保持するこの種のデバイスは、時間が経過すると信頼性が低下する。実際に、摩擦力のみによって表盤が保持されていることになり、これによって、腕時計に衝撃が加わると、表盤がその基準位置から動いてしまうことがある。
【０００７】
米国特許ＵＳ５９６６３４４に開示されるデバイスは、この課題を克服することを可能にする。この特許文献において記載された第１の実施形態によると、ムーブメントに固定された環状のマウントが、ムーブメントの周部分において、表盤の対応する部分を圧入によって受けるようにされた凹部を有する。表盤を圧入することによって、衝撃が発生しても表盤が動かないことが確実になる。しかし、この種の技術は、光透過性の腕時計においては魅力ではない。なぜなら、表盤とマウントの間に開口が見えるからである。米国特許ＵＳ５９６６３４４に開示された別の実施形態によると、腕時計用ムーブメントがその周縁部分に設けられたいくつかの穴を有し、これらの穴が表盤と一体的な足と連係するようにされている。このようなデバイスも複雑な機械加工工程を伴う。なぜなら、ムーブメントに穴を開ける必要があり、表盤の足を表盤と一体的に作らなければならないからである。
【発明の概要】
【発明が解決しようとする課題】
【０００８】
本発明は、既知の従来技術のデバイスの様々な課題を克服することを目的とする。
【０００９】
より詳細には、実装が簡単で、表盤をしっかり保持することができるような、表盤をムーブメントに固定するデバイスを提供することを目的とする。
【００１０】
また、本発明は、堅牢性があって低コストである表盤をムーブメントに固定するデバイスを提供することも目的とする。
【課題を解決するための手段】
【００１１】
上記目的以外の目的も、以下を読むことによってより明確に想起することができるであろう。これらは、本発明によって、裏蓋及び中間部分を有するケースによって境界の一部が定まる腕時計であって、ケースの内部に収容されるケーシングリングの内側にムーブメントが配置され、さらに、ケーシングリングの上に配置され、かつ、固定リングによって保持される表盤を有する腕時計によって達成することができる。
【００１２】
本発明によると、固定リングはＳ字状の断面を有し、この「Ｓ」字状の固定リングの上側枝部は表盤上で支えられ、「Ｓ」字状の固定リングの下側枝部はケーシングリング上で支持され、「Ｓ」字状の固定リングの上側枝部とケーシングリングとの間の表盤をつかむように、「Ｓ」字状の固定リングの下側枝部が中間部分とケーシングリングの間でクランプされる。
【００１３】
本発明の相補的な特性によって、以下の特徴を単独で又は組み合わせで有する。
−ケーシングリングは、外周側肩部を有し、この外周側肩部上で断面「Ｓ」字状の固定リングの下側枝部が支持される。
−中間部分は、ケーシングリングの外周側肩部に相補的な表面を有し、断面「Ｓ」字状の固定リングの下側枝部は、腕時計のアセンブリ時に、ケーシングリングの外周側肩部と中間部分の相補的な表面との間でクランプされる。
−ケーシングリングは、環状リムを有し、この周リム上で表盤が支持される。
−中間部分は、周部溝を有し、その周部溝内に断面「Ｓ」字状の固定リングの上側枝部が収容される。
−ケーシングリング上の表盤に位置合わせする手段が設けられる。
−位置合わせ手段は、ケーシングリング上に配置する突起及び表盤において設けられる切り込みを有し、前記突起は、表盤の周方向の位置をロックするように、切り込みに係入される。
−固定リングは、金属性材料で一体的部品として作られる。
【００１４】
本発明は、さらに、光透過性ないし準光透過性の表盤（文字盤）を有する腕時計に関する。
【００１５】
添付図面を参照して以下の本発明の例示的実施形態の詳細な説明を読むことによって、本発明の他の特徴及び効果をより明確に想起することができるであろう。本発明は、この例示的な実施形態によっては何ら限定されない。
【図面の簡単な説明】
【００１６】
【図１】図１は、本発明に係る表盤を固定するデバイスを有する腕時計の部分断面図である。
【図２】図２は、本発明に係る表盤を保持するデバイスを受ける腕時計の分解斜視図である。
【発明を実施するための形態】
【００１７】
図１に示す腕時計用ケースは、全体において符号１で示してあり、この腕時計用ケース１は、任意の適切な手段によって、中間部分４に固定された裏蓋２によって境界の一部が定められる。計時器用ムーブメント６が、腕時計用ケース１の中に収容されたケーシングリング８内に配置される。計時器用ムーブメント６の軸方向の位置合わせのために、計時器用ムーブメント６は、カラー１０を有し、このカラー１０は、ケーシングリング８の内周肩部１２上で支持される。また、この腕時計は、表盤１４を有し、この表盤１４は、以下において詳細に説明するように、ケーシングリング８の上に配置され、固定リング１６によって保持される。最後に、腕時計用ケース１は、表蓋１８によって上から閉じられる。この表蓋１８は、シーリングガスケット２０を挿入することで中間部分４に固定される。
【００１８】
ケーシングリング８を通り抜けるように穴を開けられた貫通オリフィス２２は、時刻設定用つまみ２６のステム２４を受けるように構成されている（図２を参照）。これによって、ケーシングリング８内の計時器用ムーブメント６の軸方向及び放射状方向の位置合わせを同時に確実にする。
【００１９】
本発明の特徴の１つによれば、ケーシングリング８の上に周リム２８があり、この周リム２８の上に表盤１４が支持されている。図１に示すように、例えば、金属部分で形成された、固定リング１６は、上側枝部１６ａと下側枝部１６ｃと、これらを接続する中間枝部１６ｂで形成されたＳ字状の断面を有する。表盤１４の周部分のすべて又は一部の上で、固定リング１６の上側枝部１６ａが支えられている。これに対し、ケーシングリング８の上で固定リング１６の下側枝部１６ｃが支えられている。より具体的には、ケーシングリング８は、その中間部分において、外周側肩部３０を有し、この外周側肩部３０の上に固定リング１６の下側枝部１６ｃが支えられている。最後に、固定リング１６の中間枝部１６ｂが、ケーシングリング８及び表盤１４それぞれの端縁を挟んでいる。これによって、ケーシングリング８に対して表盤１４が中心に動くことが可能になる。固定リング１６の内径は、固定リング１６をケーシングリング８に嵌めることができるように、ケーシングリング８の外径に対して若干のクリアランスを有するように作られている。
【００２０】
本発明の別の特徴によれば、中間部分４は、ケーシングリング８の外周側肩部３０に相補的な表面３２を内側に有し、固定リング１６の下側枝部１６ｃは、腕時計のアセンブリ時にケーシングリング８の外周側肩部３０と中間部分４の相補的な表面３２の間でクランプされる。このクランプの影響の下で、固定リング１６の上側枝部１６ａが表盤１４をケーシングリング８の環状リム２８に対して押し、これによって、表盤１４が完全に保持されることが確実になる。これを可能とするために、固定リング１６の中間枝部１６ｂの高さは、表盤１４の厚みとケーシングリング８の環状リム２８の厚みの合計よりも小さい。
【００２１】
なお、中間部分４は、いくらかの遊びを有するように固定リング１６の上側枝部１６ａを収容する凹部を形成する環状溝３４を内側に有し、これは表盤１４上で支持される外側端縁３６によって境界の一部が定められる。環状溝３４の幅は、固定リング１６の上側枝部１６ａの幅よりもわずかに大きい。これによって、アセンブリを促進することができる。しかし、環状溝３４の外側端縁３６は、表盤１４の可視表面が最大となるように、できるだけ薄いということを確実にしなければならない。
【００２２】
２つの相補的な環状の溝３８ａ及び３８ｂが、それぞれ中間部分４のベース部分及びケーシングリング８のベース部分に設けられている。計時器用ムーブメント６を収容するケーシングリング８が腕時計用ケース１内に挿入される時に、２つの環状の溝３８ａ及び３８ｂの接合部分が溝を形成する。この溝の中にシーリングガスケット４０が配置されている。裏蓋２が、例えば、ねじによって、中間部分４に固定されると、シーリングガスケット４０は圧縮されて変形し、ケーシングリング８に対して垂直方向への推進力を与える。この推進力の影響の下で、ケーシングリング８の外周側肩部３０が、固定リング１６の下側枝部１６ｃを中間部分４の相補的な表面３２を押圧する。このクランプの影響の下で、固定リング１６の上側枝部１６ａが表盤１４をケーシングリング８の環状リム２８に対して押圧する。
【００２３】
腕時計用ケース１のアセンブリ時に、計時器用ムーブメント６が上からケーシングリング８内に挿入され、この後に、表盤１４と固定リング１６がケーシングリング８の上に配置される。次に、結果として得られたアセンブリが、腕時計用ケース１の裏蓋２から内部空間へと滑り込まれる。最後に、裏蓋２が腕時計の中間部分４に固定される。
【００２４】
このようなアセンブリによって、表盤に設けられた足を使用せずに、表盤１４を簡潔に有効的な手法で固定することができる。
【００２５】
このようなアセンブリは、特に、光透過性ないし準光透過性の表盤を有する腕時計に効果的である。もちろん、不透明な表盤を有する腕時計にもこのアセンブリを使用することができる。
【００２６】
図２に示す本発明の変形実施形態によれば、腕時計用ケース１は、ケーシングリング８に対して表盤１４を周方向に位置合わせする手段を有する。これらの位置合わせ手段は、例えば、ケーシングリング８上に位置するガイド用突起４２及び表盤１４に設けられた切り込み４４を設け、ガイド用突起４２を切り込み４４に係入する。これによって、表盤１４の角度的な位置合わせを確実にすることができる。もちろん、当業者に知られている他の位置合わせ手段も、表盤１４を位置合わせするのに適しうる。
【００２７】
本発明はもちろん、ここで説明した実施形態には限定されず、また、添付の請求の範囲によって定められる本発明の範囲から逸脱せずに、当業者は、本発明の様々な単純な変形や変形実施形態を想起することができる。具体的には、一変形実施形態（図示せず）によると、ケーシングリング８が、そのベース部分に沿った規則的な間隔で、弾性をもつ細長片を有し、この細長片が、ケーシングリング８に対して垂直方向上の弾性復帰力をはたらかせる。この力の影響の下で、ケーシングリング８は中間部分４に対して固定リング１６の下側枝部１６ｃをクランプする。ケーシングリング８を固定する更なる別の態様においては、ケーシングリング８を腕時計用ケース１の裏蓋２にねじ止めすることを伴う。
【符号の説明】
【００２８】
１  腕時計用ケース
２  裏蓋
４  中間部分
６  計時器用ムーブメント
８  ケーシングリング
１０  カラー
１２  周肩部
１４  表盤
１６  固定リング
１６ａ  上側枝部
１６ｂ  中間枝部
１６ｃ  下側枝部
１８  表蓋
２０  シーリングガスケット
２２  貫通オリフィス
２４  ステム
２６  時刻設定用つまみ
２８  環状リム
３０  外周側肩部
３２  表面
３４  環状溝
３６  外側端縁
３８ａ、３８ｂ  相補的な環状の溝
４０  シーリングガスケット
４２  ガイド用突起
４４  切り込み
【図１】
0005990561.tif 000002
【図２】
0005990561.tif 000003